(57)【特許請求の範囲】
【請求項１】
上向きリンクサウンディング参照信号（ＳＲＳ）伝送方法において、
（ａ）ＳＲＳ伝送のための単一無線フレーム内の単一搬送波周波数分割多重接続（ＳＣ−ＦＤＭＡ）シンボルを数字ｋとしてインデキシングし、前記数字ｋとＳＲＳを伝送するための前記無線フレームのインデックス番号（ｎｆ）とに基づいて、周波数ホッピングパターンパラメータｎＳＲＳの値を算出する段階と、
（ｂ）ｎＳＲＳを有する時間−領域ＳＲＳシンボルからマッピングされた周波数−領域開始副搬送波のインデックス番号を決定する段階と、
（ｃ）決定されたインデックス番号を有する副搬送波を通じてＳＲＳを伝送する段階とを含む
ことを特徴とする上記方法。
【請求項２】
段階（ａ）の後、且つ段階（ｂ）の前に、
求められたｎＳＲＳによってＳＲＳのために更新されるべき周波数−領域増分を算出し、
求められた周波数−領域増分によってＳＲＳ伝送のための周波数−領域位置のインデックスを算出する段階をさらに含む
ことを特徴とする請求項１に記載の上記方法。
【請求項３】
ｎＳＲＳは、上向きリンクと下向きリンク構成が０、１、２、及び６、Ｌ＝４、ｋ＝０、１、２、３（ここで、ｎｆは、ＳＲＳ伝送のための無線フレームのインデックス番号を示す）を有するＴＤＤシステムにおいてｎＳＲＳ＝ｎｆ×Ｌ＋ｋにより算出される
ことを特徴とする請求項１に記載の上記方法。
【請求項４】
ｎＳＲＳは、上向きリンクと下向きリンク構成３、５、及び７を有するＴＤＤシステムにおいてｎＳＲＳ＝ｎｆ×Ｌ＋ｋにより算出され、ここで、ｎｆは、ＳＲＳ伝送のための無線フレーム番号を示す
ことを特徴とする請求項１に記載の上記方法。
【請求項５】
単一無線フレーム内でＳＲＳを伝送するための上記ＳＣ−ＦＤＭＡシンボルをインデキシングする段階は、
無線フレーム内でＳＲＳ伝送のための１番目のＳＣ−ＦＤＭＡシンボルをｋ＝０としてインデキシングし、
無線フレーム内でＳＲＳ伝送のための２番目のＳＣ−ＦＤＭＡシンボルをｋ＝１としてインデキシングし、
無線フレーム内でＳＲＳ伝送のための３番目のＳＣ−ＦＤＭＡシンボルをｋ＝２としてインデキシングし、
無線フレーム内でＳＲＳ伝送のための４番目のＳＣ−ＦＤＭＡシンボルをｋ＝３としてインデキシングする段階を含む
ことを特徴とする請求項１に記載の上記方法。
【請求項６】
上向きリンクサウンディング参照信号（ＳＲＳ）伝送方法において、
（ａ）ＳＲＳ伝送のための単一無線フレーム内の単一搬送波周波数分割多重接続（ＳＣ−ＦＤＭＡ）シンボルを数字ｋにインデキシングして、数字ｋとＳＲＳ伝送のための前記無線フレームのインデックス番号と前記ＳＲＳ伝送のための前記ＳＣ−ＦＤＭＡシンボルが位置するタイムスロットのインデックス番号とＳＲＳ区間とに基づいて、周波数ホッピングパターンパラメータｎＳＲＳの値を算出する段階と、
（ｂ）ｎＳＲＳを有する時間−領域ＳＲＳシンボルからマッピングされた周波数−領域開始副搬送波のインデックス番号を決定する段階と、
（ｃ）決定されたインデックス番号を有する副搬送波を通じて上記ＳＲＳを伝送する段階とを含む
ことを特徴とする上記方法。
【請求項７】
段階（ａ）の後、且つ段階（ｂ）の前に、
求められたｎＳＲＳによってＳＲＳのために更新されるべき周波数−領域増分を算出し、
求められた周波数−領域増分によってＳＲＳ伝送のための周波数−領域位置のインデックスを算出する段階をさらに含む
ことを特徴とする請求項６に記載の上記方法。
【請求項８】
ｎＳＲＳは、上向きリンクと下向きリンク構成０、１、２及び６、
【数１】
0005453428.tif 000048
を有するＴＤＤシステムにおいて
【数２】
0005453428.tif 000049
により算出される
ことを特徴とする請求項６に記載の上記方法。
【請求項９】
ｎＳＲＳは、上向きリンクと下向きリンク構成３、４及び５、Δｋ＝ｋ （ｋ＝０，１）を有するＴＤＤシステムにおいて
【数３】
0005453428.tif 000050
により算出される
ことを特徴とする請求項６に記載の上記方法。
【請求項１０】
単一無線フレーム内でＳＲＳを伝送するための上記ＳＣ−ＦＤＭＡシンボルをインデキシングする段階は、
無線フレーム内でＳＲＳ伝送のための１番目のＳＣ−ＦＤＭＡシンボルをｋ＝０としてインデキシングし、
無線フレーム内でＳＲＳ伝送のための２番目のＳＣ−ＦＤＭＡシンボルをｋ＝１としてインデキシングし、
無線フレーム内でＳＲＳ伝送のための３番目のＳＣ−ＦＤＭＡシンボルをｋ＝２としてインデキシングし、
無線フレーム内でＳＲＳ伝送のための４番目のＳＣ−ＦＤＭＡシンボルをｋ＝３でインデキシングする段階を含む
ことを特徴とする請求項６に記載の上記方法。
【発明の詳細な説明】
【技術分野】
【０００１】
本発明は、無線通信システムに関し、より詳細には、無線通信システムのための上向きリンクサウンディング参照信号伝送装置及び方法に関する。
【背景技術】
【０００２】
３世代パートナシッププロジェクト（３ＧＰＰ）標準は、ロングタームエボリューション（ＬＴＥ）標準として知られている次世代通信標準を樹立することを目的にする。ＬＴＥの下向きリンク伝送技術は、直交周波数分割多重化（ＯＦＤＭ）を基盤とするが、上向きリンク伝送技術は、シングルキャリア周波数分割多重接続（ＳＣＦＤＭＡ）方式を基盤とする。ＬＴＥシステムでは、２つのタイプのフレーム構造が使用され、ここで、タイプ１は、周波数分割デュプレックス（ＦＤＤ）を適用し、タイプ２は、時分割デュプレックス（ＴＤＤ）を適用する。
【０００３】
図２は、無線フレーム長さが３０７２０ｘＴＳ＝１０ｍｓであり、各フレームが０から１９までのインデックス範囲をカバーする１５３６０ＴＳ＝０．５ｍｓ長さの２０個のタイプスロットに分割されるＬＴＥ ＦＤＤシステムにおいてのフレーム構造を示す。各タイムスロットは、複数個のＯＦＤＭシンボルを含み、２つのタイプのうち１つの周期的前置符号（ＣＰ）、すなわち、一般ＣＰと拡張ＣＰのうち１つを利用する。一般ＣＰを使用するタイムスロットは、７個のＯＦＤＭシンボルを含むが、拡張ＣＰを使用するタイムスロットは、６個のタイムスロットを含む。各サブフレームは、２つの連続したタイムスロット、すなわちｋ番目のサブフレームは、２ｋ番目及び（２ｋ＋１）番目のタイムスロットで構成される。
【０００４】
図３は、ＬＴＥ ＴＴＤシステムにおいてのフレーム構造を示す。３０７２００ｘＴｓ＝１０ｍｓ長さを有する無線フレームは、１５３６００ｘＴｓ＝５ｍｓ長さの２つの同一のハーフフレーム（half-frame）に分割される。各ハーフフレームは、８個の１５３６０ｘＴｓ＝０．５ｍｓ長さのスロットと３個の特別な領域、すなわち下向きリンクパイロットスロット（ＤｗＰＴＳ）、保護区間（ＧＰ）、そして上向きリンクパイロットタイムスロット（ＵｐＰＴＳ）を含み、全体３０７２０Ｔｓ＝１ｍｓの長さを有する。各タイムスロットは、複数個のＯＦＤＭシンボルを含み、一般ＣＰあるいは拡張ＣＰを使用する。一般ＣＰを使用するタイムスロットは、７個のＯＦＤＭシンボルを含むが、拡張ＣＰを使用するタイムスロットは、６個のＯＦＤＭシンボルを有する。
【０００５】
各サブフレームは、２つの連続したタイムスロット、すなわちｋ番目サブフレームは、２ｋ番目及び（２ｋ＋１）番目のタイムスロットで構成される。１番目及び６番目のサブフレームは、前記３つの領域を含む。この時、下向きリンク伝送のために０番目及び５番目のサブフレーム及びＤｗＰＴＳが割り当てられる。転換区間が５ｍｓなら、上向きリンク伝送のためにＵｐＰＴＳと２番目及び７番目のサブフレームが割り当てられる。転換区間が１０ｍｓなら、上向きリンク伝送のためにＵｐＰＴＳと２番目のサブフレームが割り当てられる。
【０００６】
図４は、ＬＴＥ ＴＴＤフレーム構造の構成図を示す。図４で、構成０では、各無線フレームが０から始まって循環されるインデックスを割り当てられる１０個の無線サブフレームを含むことを示す。０番目及び５番目のサブフレームは、下向きリンクデータを伝送するために、すなわち０番目及び５番目のサブフレームは、基地局（ｅＮＢ）からユーザ端末（ＵＥｓ）に情報伝送のために使用され、２、３、７、８、及び９番目のサブフレームは、ＵＥが上向きリンクデータ伝送、すなわちｅＮＢへの情報伝送のために使用され、特別サブフレームとも呼ばれる１番目及び６番目のサブフレームは、各々ＤｗＰＴＳ、ＧＰ、及びＵｐＰＴＳとして定義される３つの特別タイムスロットで構成される。ここで、ＤｗＰＴＳ、ＧＰ、及びＵｐＰＴＳの長さは、システム構成によって可変的である。
【０００７】
図５Ａ及び図５Ｂは、ＬＴＥシステムにおいて１つの上向きリンクサブフレームの時間−周波数グリッドと一般ＣＰと拡張ＣＰが構成される条件の下にサウンディング参照信号（ＳＲＳ）のための時間−周波数資源の使用可能位置を示す図である。システムが一般ＣＰとともに構成される時、資源ブロック（ＲＢ）内の各上向きリンクサブフレームは、各々７個のシングルキャリア周波数分割多重接続（ＳＣ−ＦＤＭＡ）シンボル（時間領域）と１２個の副搬送波（周波数領域）を含む２つのタイムスロットを含む。システムが拡張ＣＰとともに構成される時、各ＲＢ内の各々の上向きリンクサブフレームは、６個のＳＣ−ＦＤＭＡシンボルと１２個の副搬送波を含む２つの連続したタイムスロットを含む。最小限の上向きリンクサブフレーム資源は、資源要素（ＲＥ）と呼ばれる。
【０００８】
現在ＬＴＥに対する論議によれば、各無線フレームで一部のサブフレーム内の最後のシンボルは、ＳＲＳを伝送するために使用される。
【０００９】
ＬＴＥにおいて上向きリンクＳＲＳの目的は、全体システム帯域幅に対してＵＥからＳＲＳができるだけ大きくなるように保証するためのＳＲＳ周波数ホッピング（frequency-hop）方式のためのものである。現在、４つの異なるシステム帯域幅設定のためのＳＲＳ規定によれば、ｅＮＢは、端末に互いに異なる周波数ホッピング方式で割り当てるための８ビット無線資源制御（ＲＲＣ）シグナリングを利用する。８ビットＲＲＣシグナリングのうち、４ビットは、ＳＲＳ帯域幅の構造を示すために使用され、２つのビットは、現在構成で端末のＳＲＳ帯域幅を示すために使用され、残りの２つのビットは、ＳＲＳ周波数ホッピング帯域幅を示すために使用される。
【００１０】
同一の周波数ホッピング区間（Ｔ）、同一の伝送サブフレームオフセット及び同一のコム位置（Comb location)内で互いに異なる端末のＳＲＳ間の衝突を回避するために、端末がＳＲＳ周波数ホップを設定する時、現在の無線フレーム番号（ｎｆ）、ＳＲＳを伝送するためのタイムスロットのインデックス（ｎｓ）、そしてＳＲＳ区間（Ｔ）によって、次の数式１によって、ＳＲＳのロジッグ識別子（ＩＤ）（ｎＳＲＳ）が算出される。
【００１１】
【数１】
0005453428.tif 000002
【００１２】
ＳＲＳの各伝送のための物理的資源は、ｎＳＲＳを基盤に決定される。ｎＳＲＳが連続値（continuous value)なら、現在のＳＲＳ周波数ホッピング方式によって、ＵＥは、できるだけ大きく全体システム帯域をサウンディングするように保証されることができる。ＦＤＤシステムにおいては、上向きリンク及び下向きリンクの両方で周波数分割多重化が適用されるので、各々のＳＲＳ区間で少なくとも１つの上向きリンクサブフレームがｅＮＢによって割り当てられることを保証されることができる。したがって、数式１によって獲得したｎＳＲＳは、連続的な値である。これは、ＳＲＳが全体システム帯域幅をサウンディングすることを保証する。
【００１３】
しかし、ＴＤＤシステムのフレーム構造においては、少なくとも１つの上向きリンクサブフレームが２つの連続したサブフレーム毎に割り当てられることを保証されることができない。したがって、ＵＥが２ｍｓ区間で設定される時、数式１によって求められたｎＳＲＳがＴＤＤシステムでは連続的でなく、これは、ＵＥが全体システム帯域幅をサウンディングすることが不可能であり、周波数ホッピングパターンがサウンディング周波数ホッピング帯域幅内で均一でなくなる結果を招く。
【００１４】
図９は、Ｔ＝２（図９（ａ））と５の時、数式１によって求められたｎＳＲＳの値を示す。図１０は、システム帯域幅＝２５ＲＢ、ＳＲＳ周波数ホッピングインデックス＝３、ＳＲＳ帯域幅＝４、そしてＳＲＳ周波数ホッピング帯域幅＝２０の時、現在システムでの問題点を示す。７個の異なる上向きリンク及び下向きリンク構成がＴＤＤシステムに適用されることができるので、新しい周波数ホッピング方式がＴＤＤまたはＦＤＤシステムの任意のＳＲＳ設定区間内で、端末が固定された区間とともに全体ＳＲＳ周波数ホッピング帯域を周期的にサウンディングすることができ、周波数ホッピングパターンが周波数ホッピング帯域全体に分散される、すなわち各ＳＲＳ帯域幅に対するサウンディング周波数ができるだけ一貫性があることを保証しなければならない。図９に示されたように、Ｔの値とは別個に、ＳＲＳは、帯域幅の一部にのみ伝達されるか、帯域幅のためのサウンディング回数は同一でない。
【発明の概要】
【発明が解決しようとする課題】
【００１５】
現在、７種の上向きリンク及び下向きリンク構成に対する包括的な考慮に関する複雑な問題を解決するための方法に対するＬＴＥ論議が進行されていない。        
本発明の目的は、上向きリンク信号、特に上向きリンクサウンディング信号を伝送するための周波数ホッピング方法を提供することにある。
【課題を解決するための手段】
【００１６】
本発明の一態様によれば、上向きリンクサウンディング参照信号伝送方法は、ＳＲＳ伝送のための単一無線フレーム内の単一搬送波周波数分割多重接続（ＳＣ−ＦＤＭＡ）シンボルを数字ｋとしてインデキシングし、数字ｋとＳＲＳ伝送のための無線フレームのインデックス番号ｎＳＲＳの値を算出する段階と、ｎＳＲＳを有する時間−領域ＳＲＳシンボルからマッピングされた周波数−領域開始副搬送波のインデックス番号を決定する段階と、決定されたインデックス番号を有する副搬送波を通じてＳＲＳを伝送する段階とを含む。
【００１７】
本発明の他の態様によれば、上向きリンクサウンディング参照信号（ＳＲＳ）伝送方法は、ＳＲＳ伝送のための単一無線フレーム内の単一搬送波周波数分割多重接続（ＳＣ−ＦＤＭＡ）シンボルを数字ｋとしてインデキシングし、数字ｋ、ＳＲＳ伝送のための無線フレームのインデックス番号、ＳＲＳ伝送のためのＳＣ−ＦＤＭＡシンボルが位置するタイムスロットのインデックス番号及びＳＲＳ区間によってｎＳＲＳの値を算出する段階と、ｎＳＲＳを有する時間−領域ＳＲＳシンボルからマッピングされた周波数−領域開始副搬送波のインデックス番号を決定する段階と、決定されたインデックス番号を有する副搬送波を通じて上記ＳＲＳを伝送する段階とを含む。
【００１８】
本発明のさらに他の態様によれば、上向きリンクサウンディング参照信号（ＳＲＳ）伝送方法は、時分割デュプレックス（ＴＤＤ）システムのための上向きリンクと下向きリンク構成、ＳＲＳを伝送するためのタイムスロットのインデックス番号、そして基地局（ｅＮＢ）からＳＲＳ開始ビット位置に対する情報によって時間−領域ＳＲＳシンボルからマッピングされた周波数−領域開始副搬送波のインデックス番号を決定する段階と、決定されたインデックス番号を有する副搬送波を通じて上記ＳＲＳを伝送する段階とを含む。
【発明の効果】
【００１９】
本発明の効果は、上向きリンク信号、特に上向きリンクサウンディング信号を伝送するための周波数ホッピング方法を提供するものである。
【図面の簡単な説明】
【００２０】
【図１】本発明による構造のブロック図である。
【図２】従来のＬＴＥ ＦＤＤフレーム構造を示す図である。
【図３】従来のＬＴＥ ＴＴＤフレーム構造を示す図である。
【図４】ＬＴＥ ＴＴＤシステムのための従来の上向きリンク及び下向きリンク構造を示す図である。
【図５Ａ】従来のＳＲＳ伝送のためのＬＴＥ上向きリンクサブフレームの構造を示す図である。
【図５Ｂ】従来のＳＲＳ伝送のためのＬＴＥ上向きリンクサブフレームの構造を示す図である。
【図６】ＦＤＤシステムにおいてＵＥ ＳＲＳ構成表を示す図である。
【図７】ＴＤＤシステムにおいてＵＥ ＳＲＳ構成表の第１実施形態を示す図である。
【図８】ＴＤＤシステムにおいてＵＥ ＳＲＳ構成表の第２実施形態を示す図である。
【図９】解決すべき問題点を示す図である。
【図１０】ＳＲＳ周波数ホッピングパターンを示す図である。
【図１１】Ｔ＝２の時、ＳＲＳ周波数ホッピングパターンを示す図である。
【図１２】Ｔ＝５の時、ＳＲＳ周波数ホッピングパターンを示す図である。
【図１３Ａ】異なる上向きリンク帯域幅のためのＳＲＳ帯域幅設定を示す図である。
【図１３Ｂ】異なる上向きリンク帯域幅のためのＳＲＳ帯域幅設定を示す図である。
【図１３Ｃ】異なる上向きリンク帯域幅のためのＳＲＳ帯域幅設定を示す図である。
【図１３Ｄ】異なる上向きリンク帯域幅のためのＳＲＳ帯域幅設定を示す図である。
【図１４Ａ】図７の端末のＳＲＳ構成表が適用される時、ＴＤＤシステムに適用される周波数ホッピング方法を示す図である。
【図１４Ｂ】図７の端末のＳＲＳ構成表が適用される時、ＴＤＤシステムに適用される周波数ホッピング方法を示す図である。
【図１５Ａ】図８の端末のＳＲＳ構成表が適用される時、ＴＤＤシステムに適用される周波数ホッピング方法を示す図である。
【図１５Ｂ】図８の端末のＳＲＳ構成表が適用される時、ＴＤＤシステムに適用される周波数ホッピング方法を示す図である。
【図１５Ｃ】図８の端末のＳＲＳ構成表が適用される時、ＴＤＤシステムに適用される周波数ホッピング方法を示す図である。
【図１６Ａ】ＲＲＣ増分指示を使用する時、周波数ホッピング方法を示す図である。
【図１６Ｂ】ＲＲＣ増分指示を使用する時、周波数ホッピング方法を示す図である。
【図１６Ｃ】ＲＲＣ増分指示を使用する時、周波数ホッピング方法を示す図である。
【図１６Ｄ】ＲＲＣ増分指示を使用する時、周波数ホッピング方法を示す図である。
【図１７】ＳＲＳ信号資源マッピング図である。
【図１８】異なる上向きリンク及び下向きリンク構成がＴＤＤシステムに適用される時、ＳＲＳインデックスｋ間のマッピング関係を示す図である。
【発明を実施するための形態】
【００２１】
本願では、
【数２】
0005453428.tif 000003
を
Ｘａｂ
と表記する。
【００２２】
以下、添付の図面を参照しながら本発明の好ましい実施形態を詳しく説明する。なお、図面において、同一の構成要素は、できるだけ同一の符号で示す。また、本発明の要旨を不明瞭にすることができる公知機能及び構成に対する詳細な説明を省略する。
【００２３】
図１は、本発明によるシステムブロック図を示す。システムは、ｅＮＢからＲＲＣシグナリングを利用して伝送されるＳＲＳ帯域幅指示子によって伝送されるＺａｄｏｆｆ−Ｃｈｕシーケンスを生成するＳＲＳシーケンス生成器１０１と、ＳＲＳ区間Ｔ（図７及び図８示された）、サブフレームオフセットと現在無線フレームのインデックス番号ｎｆのような（ｅＮＢからの１１ビットＲＲＣシグナリングを通じて伝送された）ＳＲＳパラメータによってＳＲＳ周波数ホッピングパターンを生成し、そして生成された周波数ホッピングパターンによってＳＲＳシーケンスを対応する物理資源要素（ＲＥｓ）にマッピングし、逆高速フーリエ変換（ＩＦＦＴ）を通じて伝送されるＳＣ−ＦＤＭＡシンボルを生成する物理資源マッパー１０２とを含む。上記システムは、無線送信機から電磁波の形態で出力される無線周波数（ＲＦ）信号を伝送するアンテナをさらに含む。
【００２４】
本発明によるシステムは、図１に示された物理資源マッパー１０２と関連がある。
【００２５】
図１４Ａ及び図１４Ｂは、図７に示されたＴＤＤシステムのためのＵＥ ＳＲＳ構成表に適した本発明によるＳＲＳ周波数ホッピング方法を示す。この方法によって、段階１４００で、ＵＥは、（ｅＮＢがＲＲＣシグナリングを通じて割り当てた）ＳＲＳ帯域幅パラメータと循環シフト（cyclic shift)パラメータによってＳＲＳ参照シンボルシーケンスを生成する。
【００２６】
段階１４０１で、ＵＥは、（ｅＮＢがＵＥに対して割り当てた）ＳＲＳ区間が２であるか否かを判断、すなわち、端末がＩＳＲＳ（ＲＲＣシグナリングを通じてｅＮＢから伝送されるＳＲＳ区間）の値を読み出す。０≦ＩＳＲＳ≦９であれば、上記方法は、段階１４０２に進行し、そうでなければ、段階１４０３に進行する。
【００２７】
段階１４０２で、ＵＥは、ＳＲＳ信号を伝送するための無線フレームのインデックス番号ｎｆによる周波数ホッピングパターンパラメータｎＳＲＳと無線フレーム内のＳＲＳシーケンスのＳＲＳのインデックス番号ｋを決定する。上記パラメータを決定するための要求事項は、異なるＵＥであるが同一のＳＲＳ区間、同一のサブフレームオフセット及び同一のコムインデックス番号を有するＳＲＳ間の衝突を回避し、ＵＥがｅＮＢによって割り当てられた全体ＳＲＳ周波数ホッピング帯域幅をサウンディングすることができるように、ｎＳＲＳがＴＤＤシステムにおいて無線フレームと異なる上向きリンク及び下向きリンクサブフレーム構成内でＳＲＳシーケンス内のＳＲＳのインデックス番号ｋに連続するように保証するものである。
【００２８】
このような要求事項によって、ｎＳＲＳ＝ｆ（ｎｆ，ｋ）という結論を出すことができる。ここで、具現方式は、数式２のマッピング方法内に制限されない。
【００２９】
【数３】
0005453428.tif 000004
【００３０】
数式２によって、ＴＤＤシステムにおいての上向きリンクと下向きリンク構成が０、１、２、及び６なら、ｋ＝０、１、２及び３、Ｌ＝４であり、ＴＤＤシステムにおいての上向きリンクと下向きリンクのための構成が３、４及び５なら、ｋ＝０、１、Ｌ＝２である。ｋは、昇順にインデキシングされる。すなわちＳＲＳを伝送するための各無線フレーム内の１番目のＳＣ−ＦＤＭＡシンボルはｋ＝０に対応し、ＳＲＳを伝送するための各無線フレームの２番目のＳＣ−ＦＤＭＡシンボルはｋ＝１に対応し、ＳＲＳを伝送するための各無線フレームの３番目のＳＣ−ＦＤＭＡシンボルはｋ＝２に対応し、ＳＲＳを伝送するための各無線フレームの４番目のＳＣ−ＦＤＭＡシンボルはｋ＝３に対応し、ｎｆ 
は、無線フレームのインデックス番号を示し、ｎｆ＞０である。
【００３１】
前述の同一の原理が適用される限り、異なるｋ値によって連続的なｎＳＲＳを求めるための他の方法が使用されることもできる。
【００３２】
段階１４０３で、ＵＥは、ＳＲＳを伝送するための無線フレームのインデックス番号ｎｆとＳＲＳを伝送するための無線フレーム内のタイムスロットのインデックス番号ｎｓによって、すなわち次の数式３によって、周波数ホップパラメータを決定する。
【００３３】
【数４】
0005453428.tif 000005
【００３４】
数式３で、ｎｆ≧０は、無線フレームのインデックス番号を示し、ｎｓは、ＳＲＳを伝送するための無線フレーム内のスロットのインデックス番号を示し、ｅＮＢのＲＲＣシグナリングによってＵＥは、図７の内容と５≦Ｔ≦３２０を基盤にＴとｎｓを決定する。
【００３５】
段階１４０４で、周波数−領域増分は、求められたｎＳＲＳによってフレーム内のＳＲＳによって、すなわち次の数式４によって算出及び更新される。
【００３６】
【数５】
0005453428.tif 000006
【００３７】
数式４で、Ｎｂは、ｅＮＢからのＲＲＣシグナリングによって図１３Ａ〜図１３Ｄを参照して求められ、ｂｈｏｐは、ＵＥがｅＮＢからのＲＲＣシグナリングを読み出すことによって求められる周波数ホッピング帯域幅パラメータ０≦ｂｈｏｐ≦３を示す。
【００３８】
段階１４０５で、インデックス番号Ｎｂ周波数−領域位置は、求められたＦｂ（ｎＳＲＳ）によって次の数式５によってＳＲＳ伝送のために算出される。
【００３９】
【数６】
0005453428.tif 000007
【００４０】
数式５で、ｍＳＲＳ，ｂ，ｂｈｏｐ，ｎＲＲＣは、ＵＥがｅＮＢからＲＲＣシグナリングを読み出すことによって求められるパラメータである。
【００４１】
段階１４０６で、開始周波数−領域位置ｋ０は、ＳＲＳを伝送するために、次の数式６によって算出される。
【００４２】
【数７】
0005453428.tif 000008
【００４３】
数式６で、ｍＳＲＳ，０は、ｅＮＢによって放送された３ビットセル単位ＳＲＳパラメータから求められ、ｍＳＲＳ，ｂは、ＲＲＣシグナリングを通じてｅＮＢによって図１３Ａ〜図１３Ｄの参照テーブルを参照して割り当てられ、ＮＲＢＳＣ＝１２は、各ＲＢ内の副搬送波の個数を示し、ｋＴＣ∈｛０，１｝は、コム数を示し、ＮＵＬＲＢは、上向きリンクサブフレーム内の周波数−領域ＲＢの数を示す。
【００４４】
段階１４０７で、ＳＲＳシーケンスは、ｋ０から始まる副搬送波にマッピングされる。詳しいマッピング方式が図１７に示されている。
【００４５】
段階１４０８で、ＩＦＦＴを利用して求められた周波数−領域シンボルは、時間−領域シンボルにマッピングされてアンテナを通じて伝送される。
【００４６】
図１５Ａ〜図１５Ｃは、図８のＴＴＤシステムのためのＵＥ ＳＲＳ構成表に該当する本発明のさらに他のＳＲＳ周波数ホッピング方法を示す。この方法で、段階１５００で、ＵＥは、ＳＲＳ帯域幅パラメータ（ＲＲＣシグナリングを通じてｅＮＢが割当）と循環シフトパラメータによってＳＲＳ参照シンボルシーケンスを生成する。
【００４７】
段階１５０１で、端末は、ＳＲＳ区間（ＵＥに対してｅＮＢが割当）が５であるか否かを判断、すなわちＵＥがＩＳＲＳ（ｅＮＢがＲＲＣシグナリングを通じて伝送したＳＲＳ区間）を読み出す。０≦ＩＳＲＳ≦１４であれば、方法は段階１５０２に進行し、そうでなければ、方法は段階１５０４に進行する。
【００４８】
段階１５０２で、ＵＥは、ＲＲＣシグナリングを通じてｅＮＢが伝送したＳＲＳ区間に対するパラメータＩＳＲＳを読み出す。０≦ＩＳＲＳ≦９であれば、方法は、段階１５０３に進行し、そうでなければ、方法は、段階１５０４に進行する。
【００４９】
段階１０５３で、ＵＥは、ＳＲＳ信号を伝送するための無線フレームのインデックス番号ｎｆ、ＳＲＳを伝送するための無線フレーム内のスロットのインデックス番号ｎｓ 、そして無線フレーム内のＳＲＳシーケンス内のＳＲＳのインデックス番号ｋによって周波数ホッピングパターンパラメータｎＳＲＳを決定する（図１８参照）。上記パラメータを決定するための要求事項は、異なるＵＥであるが同一のＳＲＳ区間、同一のサブフレームオフセット及び同一のコムインデックス番号を有するＳＲＳ間の衝突を回避し、ＵＥがｅＮＢによって割り当てられた全体ＳＲＳ周波数ホッピング帯域幅をサウンディングすることができるように、ｎＳＲＳがＴＤＤシステムにおいて無線フレームと異なる上向きリンク及び下向きリンクサブフレーム構成内でＳＲＳシーケンス内のＳＲＳのインデックス番号ｋに連続するように保証するものである。
【００５０】
このような要求事項によって、ｎＳＲＳ＝ｆ（ｎｆ，ｋ）という結論を出すことができる。ここで、具現方式は、数式７のマッピング方法内に制限されない。
【００５１】
【数８】
0005453428.tif 000009
【００５２】
（ａ）ＴＤＤ上向きリンク及び下向きリンク構成０、１、２、及び６に対して
【数９】
0005453428.tif 000010
【００５３】
（ｂ）ＴＤＤ上向きリンク及び下向きリンク構成３、４、及び５に対して
Δｋ＝ｋ  （ｋ＝０，１） 
【００５４】
ここで、ｋ＝０、１、２、そして３（ＴＤＤシステムにおいて上向きリンクと下向きリンクに対する構成が０、１、２及び６の場合）、ｋ＝０及び１（ＴＤＤシステムにおいて上向きリンクと下向きリンクに対する構成が３、４、及び５の場合）、ｋは、昇順にインデキシングされる。すなわちＳＲＳを伝送するための各無線フレーム内の１番目のＳＣ−ＦＤＭＡシンボルはｋ＝０に対応し、ＳＲＳを伝送するための各無線フレームの２番目のＳＣ−ＦＤＭＡシンボルはｋ＝１に対応し、ＳＲＳを伝送するための各無線フレームの３番目のＳＣ−ＦＤＭＡシンボルはｋ＝２に対応し、ＳＲＳを伝送するための各無線フレームの４番目のＳＣ−ＦＤＭＡシンボルはｋ＝３に対応し、ｎｆは、無線フレームのインデックス番号を示し、ｎｆ＞０である。ここで、Ｔ＝５である。
【００５５】
前述の同一の原理が適用される限り、異なるｋ値によって連続的なｎＳＲＳを求めるための他の方法が使用されることもできる。
【００５６】
段階１５０４で、ＵＥは、ＳＲＳを伝送するための無線フレームのインデックス番号ｎｆとＳＲＳを伝送するための無線フレーム内のタイムスロットのインデックス番号ｎｓによって、すなわち次の数式８によって、周波数ホップパラメータｎＳＲＳを決定する。
【００５７】
【数１０】
0005453428.tif 000011
【００５８】
数式８で、ｎｆ≧０は、無線フレームのインデックス番号を示し、０≦ｎｓ≦１９は、ＳＲＳを伝送するための無線フレーム内のタイムスロットのインデックス番号を示し、ｅＮＢのＲＲＣシグナリングによってＵＥは、図８と５≦Ｔ≦３２０を参照してＴとｎｓを決定する。
【００５９】
段階１５０５で、フレーム内でＳＲＳの更新を必要とする周波数−領域増分は、求められたｎＳＲＳによって数式９によって算出される。
【００６０】
【数１１】
0005453428.tif 000012
【００６１】
数式９で、Ｎｂは、ｅＮＢからのＲＲＣシグナリングによって図１３Ａ〜図１３Ｄを参照して求められ、ｂｈｏｐは、ＵＥがｅＮＢからのＲＲＣシグナリングを読み出すことによって求められる周波数ホッピング帯域幅パラメータ０≦ｂｈｏｐ≦３を示す。
【００６２】
段階１５０６で、インデックス番号Ｎｂ周波数−領域位置は、求められたＦｂ（ｎＳＲＳ）によって次の数式１０によってＳＲＳ伝送のために算出される。
【００６３】
【数１２】
0005453428.tif 000013
【００６４】
数式１０で、ｍＳＲＳ，ｂ，ｂｈｏｐ，ｎＲＲＣは、ＵＥがｅＮＢからＲＲＣシグナリングを読み出すことによって求められるパラメータである。
【００６５】
段階１５０７で、ＳＲＳ伝送のための開始周波数−領域位置ｋ０は、次の数式１１によって算出される。
【００６６】
【数１３】
0005453428.tif 000014
【００６７】
数式１１で、ｍＳＲＳ，０は、ｅＮＢによって放送された３ビットセル単位ＳＲＳパラメータから求められ、ｍＳＲＳ，ｂは、ＲＲＣシグナリングを通じてｅＮＢによって図１３Ａ〜図１３Ｄの参照テーブルを参照して割り当てられ、ＮＲＢＳＣ＝１２は、各ＲＢ内の副搬送波の個数を示し、ｋＴＣ∈｛０，１｝は、コム数を示し、ＮＵＬＲＢは、上向きリンクサブフレーム内の周波数−領域ＲＢの数を示す。
【００６８】
段階１５０８で、ＳＲＳシーケンスは、ｋ０から始まる副搬送波にマッピングされる。詳しいマッピング方式が図１７に示されている。
【００６９】
段階１５０９で、ＩＦＦＴを利用して求められた周波数−領域シンボルは、時間−領域シンボルにマッピングされてアンテナを通じて伝送される。
【００７０】
本発明によるさらに他のＳＲＳ周波数ホッピング方法が図１６Ａ〜図１６Ｄに示されている。この方法で、段階１６００で、ＵＥは、ＳＲＳ帯域幅パラメータ（ＲＲＣシグナリングを通じてｅＮＢによって割当）と循環シフトパラメータによってＳＲＳ参照シンボルシーケンスを生成する。
【００７１】
段階１６０１で、ＵＥは、ｅＮＢから伝送されたＳＲＳ区間インデックスＩＳＲＳを読み出す。０≦ＩＳＲＳ≦９であれば、上記方法は、段階１６０２に進行し、そうでなければ、上記方法は段階１６０３に進行する。
【００７２】
段階１６０２で、パラメータｎＳＲＳは、ＴＤＤシステム内の異なる設定によって計算される。図４に示されたＴＤＤ上向きリンク及び下向きリンク構成０、１、２、及び６に対して、数式１２が次のように使用される。
【００７３】
【数１４】
0005453428.tif 000015
【００７４】
図４に示されたＴＤＤ上向きリンク及び下向きリンク構成３、４、及び５に対して、数式１３が次のように使用される。
【００７５】
【数１５】
0005453428.tif 000016
【００７６】
数式１２及び１３で、ｎｆは、無線フレームのインデックス番号を示し、ｎｆ≧０であり、ｎｓは、ＳＲＳ伝送のための無線フレーム内のタイムスロットのインデックス番号を示し、０≦ｎｓ≦１９である。
【００７７】
段階１６０３で、ＵＥは、ＳＲＳを伝送するための無線フレームのインデックス番号ｎｆとＳＲＳを伝送するための無線フレーム内のタイムスロットのインデックス番号ｎｓによって、すなわち次の数式１４によって、周波数ホップパラメータｎＳＲＳを決定する。
【００７８】
【数１６】
0005453428.tif 000017
【００７９】
数式１４で、ｎｆは、無線フレームのインデックス番号を示し、ｎｆ≧０であり、ｎｓは、ＳＲＳ伝送のための無線フレーム内のタイムスロットのインデックス番号であり、０≦ｎｓ≦１９であり、ｅＮＢからのＲＲＣシグナリングによってＵＥがＴとｎｓを決定する。
【００８０】
段階１６０４で、フレーム内でＳＲＳの更新を必要とする周波数−領域増分は、求められたｎＳＲＳによって数式１５によって算出される。
【００８１】
【数１７】
0005453428.tif 000018
【００８２】
数式１５で、Ｎｂは、ｅＮＢからのＲＲＣシグナリングによって図１３Ａ〜図１３Ｄを参照して求められ、ｂｈｏｐは、ＵＥがｅＮＢからのＲＲＣシグナリングを読み出すことによって求められる周波数ホッピング帯域幅パラメータ０≦ｂｈｏｐ≦３を示す。
【００８３】
段階１６０５で、ＵＥは、ｅＮＢから伝送されたＳＲＳ区間インデックスＩＳＲＳを読み出す。０≦ＩＳＲＳ≦９であれば、上記方法は段階１６０６に進行し、そうでなければ、上記方法は段階１６０７に進行する。
【００８４】
段階１６０６で、ＵＥは、伝送されるＳＲＳが現在タイムスロット内の１番目のものであるか否かを判断する。仮にＹＥＳなら、上記方法は段階１６０７に進行し、そうでなければ、上記方法は、段階１６０８に進行する。
【００８５】
段階１６０７で、ＳＲＳを伝送するためのインデックス番号ｎｂ周波数−領域位置は、求められたＦｂ（ｎＳＲＳ）によって次の数式１６によってＳＲＳ伝送のために算出される。
【００８６】
【数１８】
0005453428.tif 000019
【００８７】
数式１６で、ｍＳＲＳ，ｂ，ｂｈｏｐ，ｎＲＲＣは、ＵＥがｅＮＢからＲＲＣシグナリングを読み出すことによって求められるパラメータである。
【００８８】
段階１６０８で、ＳＲＳ伝送のためのインデックス番号ｎｂ周波数−領域位置は、求められたＦｂ（ｎＳＲＳ）によって次の数式１７によって算出される。
【００８９】
【数１９】
0005453428.tif 000020
【００９０】
数式１７で、ｍＳＲＳ，ｂ，ｂｈｏｐ，ｎＲＲＣは、ＵＥがｅＮＢからのＲＲＣシグナリングを読み出ことによって求める。
【００９１】
前述の方法に対する他の変形が適用されることができる。例えば、数式１８。
【００９２】
【数２０】
0005453428.tif 000021
【００９３】
ここで、Δｂ＝０，１，２，…Ｎｂ−１である。
【００９４】
ｎｂを計算するために、数式１９の方法が適用されることもできる。
【００９５】
【数２１】
0005453428.tif 000022
【００９６】
ここで、Δ≧０。
【００９７】
段階１６０９で、ＳＲＳ伝送のための開始周波数−領域位置ｋ０は、次の数式２０によって算出される。
【００９８】
【数２２】
0005453428.tif 000023
【００９９】
数式２０で、ｍＳＲＳ，０は、ｅＮＢによって放送された３ビットセル単位ＳＲＳパラメータから求められ、ｍＳＲＳ，ｂは、ＲＲＣシグナリングを通じてｅＮＢによって図１３Ａ〜図１３Ｄの参照テーブルを参照して割り当てられ、ＮＲＢＳＣ＝１２は、各ＲＢ内の副搬送波の個数を示し、ｋＴＣ∈｛０，１｝は、コム数を示し、ＮＵＬＲＢは、上向きリンクサブフレーム内の周波数−領域ＲＢの数を示す。
【０１００】
段階１６１０で、ＳＲＳシーケンスは、ｋ０から始まる副搬送波にマッピングされる。詳しいマッピング方式が図１７に示されている。
【０１０１】
段階１６１１で、ＩＦＦＴを利用して求められた周波数−領域シンボルは、時間−領域シンボルにマッピングされてンテナを通じて伝送される。
【０１０２】
本発明によるさらに他の実施形態において、ＴＤＤシステムの上向きリンクがＮ ＲＢを占めると仮定する（Ｎ＝２５）。
【０１０３】
ｅＮＢによって放送されたＳＲＳ帯域幅設定のインデックス番号は、ｋであり、ここで、ｋ＝３である。
【０１０４】
ＲＲＣシグナリングを通じてＵＥに対してｅＮＢによって設定されたＳＲＳ区間パラメータはＩＳＲＳであり、この例で、ＩＳＲＳ＝０である。
【０１０５】
ＲＲＣシグナリングを通じてＵＥに対してｅＮＢが設定したＳＲＳ帯域幅パラメータは、ｍＳＲＳ，ｂであり、周波数ホッピング帯域幅はｂｈｏｐであり、ＳＲＳ伝送のためのコム（Comb）の数のインデックスはｋＴＣであり、ここで、ｂ＝３であり、ｍＳＲＳ，ｂ＝４，ｂｈｏｐ＝０，ｋＴＣ＝０である。
【０１０６】
ＲＲＣシグナリングを通じてｅＮＢによって設定された開始周波数ホッピング位置は
【数２３】
0005453428.tif 000024
であり、ここで、ｎＲＲＣ＝０である。
【０１０７】
ＴＤＤシステムにおいて、上向きリンクと下向きリンクは、構成ｌに設定され、ここで、１、２、及び３の例で、ｌ＝１であり、４、５、及び６の例で、ｌ＝４である。
【０１０８】
第１実施形態は、図７に示されたＵＥ ＳＲＳ構成表が適用されるＴＤＤシステムに適している。処理手順が図１４Ａ及び図１４Ｂに示されている。
【０１０９】
第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１１０】
第２段階で、ＵＥは、ＳＲＳ区間インデックスＩＳＲＳ＝０によって図７の情報を利用してＳＲＳ区間Ｔ＝２を類推する。また、ＵＥは、各無線フレームでＳＲＳインデックスｋ＝０、１、２、及び３、そして図１８（ａ）に示されたような対応タイムスロットインデックスに対して学習する。
【０１１１】
第３段階で、各時点でＳＲＳ信号を伝送する前に、ＵＥは、現在ＳＲＳインデックスｋと無線フレームインデックスｎｆによってキー周波数ホッピングパラメータｎＳＲＳを計算する。この実施形態において、現在フレームのインデックス番号ｎｆ０、ＳＲＳの２番目の伝送のために、ｋ＝１、Ｌ＝４、そしてｎＳＲＳ＝ｎｆ×４＋ｋ＝０×４＋１＝１を仮定する。
【０１１２】
以後の段階で、周波数−領域増分は、次の数式２１によって算出される。
【０１１３】
【数２４】
0005453428.tif 000025
【０１１４】
ＳＲＳ伝送のための周波数−領域位置は、次の数式２２によって算出される。
【０１１５】
【数２５】
0005453428.tif 000026
【０１１６】
ＳＲＳ伝送のための周波数−領域副搬送波の開始位置は、数式２３によって算出される。
【０１１７】
【数２６】
0005453428.tif 000027
【０１１８】
ＵＥは、図１７に示されたように、生成されたＳＲＳシンボルをｋ０から始まる副搬送波にマッピングし、周波数−領域シンボルを時間−領域シンボルに解釈するためにＩＦＦＴを適用し、アンテナを通じてシンボルを伝送する。
【０１１９】
第２実施形態は、図８に示されたＵＥ ＳＲＳ構成表に対するＴＤＤシステムに適している。
【０１２０】
処理手続は、図１５Ａ〜図１５Ｃに示されている。
【０１２１】
第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１２２】
第２段階で、ＵＥは、ＳＲＳ区間インデックスＩＳＲＳ＝０によって図７の情報を利用してＳＲＳ区間Ｔ＝５を類推する。また、ＵＥは、各無線フレームでＳＲＳインデックスｋ＝０、１、２、及び３、そして図１８（ａ）に示されたような対応タイムスロットインデックスに対して学習する。
【０１２３】
第３段階で、各時点でＳＲＳ信号を伝送する前に、ＵＥは、現在ＳＲＳインデックスｋと無線フレームインデックスｎｆによってキー周波数ホッピングパラメータｎＳＲＳを計算する。この実施形態において、現在フレームのインデックス番号０とＳＲＳの３番目の伝送のために、ｋ＝２を仮定する。したがって、
【数２７】
0005453428.tif 000028
である。
【０１２４】
以後の段階で、周波数−領域増分は、次の数式２４によって算出される。
【０１２５】
【数２８】
0005453428.tif 000029
【０１２６】
ＳＲＳ伝送のための周波数−領域位置は、次の数式２５によって算出される。
【０１２７】
【数２９】
0005453428.tif 000030
【０１２８】
ＳＲＳ伝送のための周波数−領域副搬送波の開始位置は、数式２６によって算出される。
【０１２９】
【数３０】
0005453428.tif 000031
【０１３０】
ＵＥは、図１７に示されたように、生成されたＳＲＳシンボルをｋ０＝１９２から始まる副搬送波にマッピングし、周波数−領域シンボルを時間−領域シンボルに解釈するためにＩＦＦＴを適用し、アンテナを通じてシンボルを伝送する。
【０１３１】
第３実施形態は、図１６Ａ〜図１６Ｄに示されたＲＲＣ指示周波数ホッピング方法に対応する。第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１３２】
第２段階で、ＵＥは、ＳＲＳ区間インデックスＩＳＲＳ＝０によって各無線フレーム内でＳＲＳ伝送のためのＳＣ−ＦＤＭＡシンボルが位置するタイムスロットのインデックス番号ｎｓを類推する。ＵＥは、無線フレームインデックスｎｆと獲得したタイムスロットインデックスｎｓによってキー周波数ホッピングパラメータｎＳＲＳを計算する。この実施形態において、現在フレームのインデックス番号ｎｆ＝００とＳＲＳの３番目の伝送のために、
【数３１】
0005453428.tif 000032
を仮定する。
【０１３３】
以後の段階で、周波数−領域増分は、次の数式２７によって算出される。
【０１３４】
【数３２】
0005453428.tif 000033
【０１３５】
一実施形態では、
【数３３】
0005453428.tif 000034
を仮定する。ＳＲＳ伝送のための周波数−領域位置は、次の数式２８によって算出される。
【０１３６】
【数３４】
0005453428.tif 000035
【０１３７】
ＳＲＳ伝送のための周波数−領域副搬送波の開始位置は、数式２９によって算出される。
【０１３８】
【数３５】
0005453428.tif 000036
【０１３９】
ＵＥは、図１７に示されたように、生成されたＳＲＳシンボルをｋ０＝１２０から始まる副搬送波にマッピングし、周波数−領域シンボルを時間−領域シンボルに解釈するためにＩＦＦＴを適用し、アンテナを通じてシンボルを伝送する。
【０１４０】
第４実施形態は、図７に示されたＵＥ ＳＲＳ構成表に対するＴＤＤシステムに適している。
【０１４１】
処理手続は、図１４Ａ及び図１４Ｂに示されている。
【０１４２】
第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１４３】
第２段階で、ＳＲＳ区間インデックスＩＳＲＳ＝０によって図７の情報を利用してＳＲＳ区間Ｔ＝２を類推する。また、ＵＥは、図１８（ｂ）に示されたように、各無線フレーム内でＳＲＳインデックスｋ＝０、１及び対応するタイムスロットを学習する。
【０１４４】
第３段階で、各時点でＳＲＳ信号を伝送する前に、ＵＥは、現在ＳＲＳインデックスｋと無線フレームインデックスｎｆによってキー周波数ホッピングパラメータｎＳＲＳを計算する。この実施形態において、現在フレームのインデックス番号ｎｆ＝１とＳＲＳの２番目の伝送のために、ｋ＝１、そしてＬ＝２を仮定する。したがって、ｎＳＲＳ＝ｎｆ×２＋ｋ＝１×２＋１＝３である。
【０１４５】
以後の段階で、周波数−領域増分は、次の数式３０によって算出される。
【０１４６】
【数３６】
0005453428.tif 000037
【０１４７】
ＳＲＳ伝送のための周波数−領域位置は、Ｆ３（１）によって数式３１によって算出される。
【０１４８】
【数３７】
0005453428.tif 000038
【０１４９】
ＳＲＳ伝送のための周波数−領域副搬送波の開始位置は、数式３２によって算出される。
【０１５０】
【数３８】
0005453428.tif 000039
【０１５１】
ＵＥは、図１７に示されたように、生成されたＳＲＳシンボルをｋ０から始まる副搬送波にマッピングし、周波数−領域シンボルを時間−領域シンボルに解釈するためにＩＦＦＴを適用し、アンテナを通じてシンボルを伝送する。
【０１５２】
第５実施形態は、図８に示されたＵＥ ＳＲＳ構成表に対するＴＤＤシステムに適している。処理手続は、図１５Ａ〜図１５Ｃに示されている。
【０１５３】
第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１５４】
第２段階で、ＳＲＳ区間インデックスＩＳＲＳ＝０によって図７の情報を利用してＳＲＳ区間Ｔ＝５を推論する。また、ＵＥは、図１８（ｂ）に示されたように、各無線フレーム内でＳＲＳインデックスｋ＝０、１及び対応するタイムスロットを学習する。
【０１５５】
第３段階で、各時点でＳＲＳ信号を伝送する前に、ＵＥは、現在ＳＲＳインデックスｋと無線フレームインデックスｎｆによってキー周波数ホッピングパラメータｎＳＲＳを計算する。
【０１５６】
この実施形態において、現在フレームのインデックス番号ｎｆ＝２とＲＳの０番目の伝送のために、
【数３９】
0005453428.tif 000040
を仮定する。
【０１５７】
以後の段階で、周波数−領域増分は、次の数式３３によって算出される。
【０１５８】
【数４０】
0005453428.tif 000041
【０１５９】
ＳＲＳ伝送のための周波数−領域位置は、数式３４によって算出される。
【０１６０】
【数４１】
0005453428.tif 000042
【０１６１】
ＳＲＳ伝送のための周波数−領域副搬送波開始位置は、次の数式３５によって算出される。
【０１６２】
【数４２】
0005453428.tif 000043
【０１６３】
ＵＥは、図１７に示されたように、生成されたＳＲＳシンボルをｋ０＝７２から始まる副搬送波にマッピングし、周波数−領域シンボルを時間−領域シンボルに解釈するためにＩＦＦＴを適用し、アンテナを通じてシンボルを伝送する。
【０１６４】
第６実施形態は、図１６Ａ〜図１６Ｄに示されたＲＲＣ指示周波数ホッピング方法に対応する。第１段階で、ＵＥは、ＲＲＣシグナリングを通じてｅＮＢによって設定されたＳＲＳ帯域幅パラメータｍＳＲＳ，ｂ＝４によってＨ＝ｍＳＲＳ，ｂ×１２／２＝４×１２／２＝２４長さのＺａｄｏｆｆ−Ｃｈｕシーケンスを生成する。
【０１６５】
第２段階で、ＳＲＳ区間インデックスＩＳＲＳ＝０によって各無線フレーム内でＳＲＳ伝送のためにＳＣ−ＦＤＭＡシンボルが位置するタイムスロットのインデックス番号ｎｓを推論する。ＵＥは、無線フレームインデックスｎｆと求められたタイムスロットインデックスｎｓによってキー周波数ホッピングパラメータｎＳＲＳを算出する。この実施形態で、現在フレームのインデックス番号ｎｆ＝８と、ＳＲＳの２番目の伝送のために、ｎＳＲＳ＝ｎｆ＝８を仮定する。
【０１６６】
以後の段階で、周波数−領域増分は次の数式３６によって算出される。
【０１６７】
【数４３】
0005453428.tif 000044
【０１６８】
この実施形態においては、
【数４４】
0005453428.tif 000045
を仮定する。ＳＲＳ伝送のための周波数−領域位置は、Ｆ３（１）によって数式３７によって算出される。
【０１６９】
【数４５】
0005453428.tif 000046
【０１７０】
ＳＲＳ伝送のための周波数−領域副搬送波の開始位置は、次の数式３８によって算出される。
【０１７１】
【数４６】
0005453428.tif 000047
【０１７２】
ＵＥは、図１７に示されたように、生成されたＳＲＳシンボルをｋ０＝１６８から始まる副搬送波にマッピングし、周波数−領域シンボルを時間−領域シンボルに解釈するためにＩＦＦＴを適用し、アンテナを通じてシンボルを伝送する。
【０１７３】
一方、本発明の詳細な説明では、具体的な実施形態について説明したが、本発明の範囲を逸脱しない範囲内で様々な変形が可能であることは勿論であり、したがって、本発明の範囲は説明された実施形態に限定されず、後述する特許請求範囲だけでなく、この特許請求の範囲と均等なものなどによって定められるべきである。
【符号の説明】
【０１７４】
１０１  ＳＹＳシーケンス発生器
１０２  物理的資源マッパー
【図１】
0005453428.tif 000051
【図２】
0005453428.tif 000052
【図３】
0005453428.tif 000053
【図４】
0005453428.tif 000054
【図５Ａ】
0005453428.tif 000055
【図５Ｂ】
0005453428.tif 000056
【図６】
0005453428.tif 000057
【図７】
0005453428.tif 000058
【図８】
0005453428.tif 000059
【図９】
0005453428.tif 000060
【図１３Ａ】
0005453428.tif 000061
【図１３Ｂ】
0005453428.tif 000062
【図１３Ｃ】
0005453428.tif 000063
【図１３Ｄ】
0005453428.tif 000064
【図１４Ａ】
0005453428.tif 000065
【図１４Ｂ】
0005453428.tif 000066
【図１５Ａ】
0005453428.tif 000067
【図１５Ｂ】
0005453428.tif 000068
【図１５Ｃ】
0005453428.tif 000069
【図１６Ａ】
0005453428.tif 000070
【図１６Ｂ】
0005453428.tif 000071
【図１６Ｃ】
0005453428.tif 000072
【図１６Ｄ】
0005453428.tif 000073
【図１８】
0005453428.tif 000074
【図１０】
0005453428.tif 000075
【図１１】
0005453428.tif 000076
【図１２】
0005453428.tif 000077
【図１７】
0005453428.tif 000078